(57)【要約】電気泳動表示デバイス（１）を駆動する循環レール安定化方法であって、実質的に直流平衡状態にある駆動波形が、様々な所要の光学遷移を達成するために用いられる。駆動波形は、画像電位差（２０）の列から成る。画像電位差は、電気泳動表示デバイス（１）の帯電された粒子（６）を、表示される必要がある画像シーケンスとは無関係に、単一の光学経路において極限の光学的位置の間で循環的に移動させる。即ち、夫々のグレースケールを表示させるために、前記粒子（６）が前記極限の光学的位置のうちの１つを最初に通ることが必要である。画像品質において滞留時間の影響を最小限とし、且つ、画像履歴を考慮する必要性を最小限とする又は取り除くために、振動パルス（１０）が、夫々の画像電位差（２０）の直前で発生する。
2007513368.tif 000002
【特許請求の範囲】
【請求項１】
・流動体中に帯電された粒子を有する電気泳動媒体；
・複数の画像素子；
・そのうちの２つは最端位置であって、少なくとも１つは前記２つの最端位置の間の中間位置である複数の位置、を占有することができる前記帯電された粒子；及び
・画像を表示させるために前記帯電された粒子に前記位置のうちの１つを占有させるように、前記画像素子の夫々へ画像電位差の列を供給するよう配置された駆動手段；
を有し、
前記画像電位差の列は、前記帯電された粒子に、単一の光学経路で前記最端位置の間を循環的に移動させて、前記光学経路に沿って前記所望の光学遷移を生じさせるための駆動波形を形成し、前記画像電位差は、１又はそれ以上の振動パルスにより先行されることを特徴とする表示装置。
【請求項２】
前記画像電位差の列を受けるために夫々の画像素子に結合された第１及び第２の電極を有し、
前記最端位置は、前記電極に実質的に隣接し、前記中間位置は、前記電極の間にあることを特徴とする、請求項１記載の表示装置。
【請求項３】
少なくとも２つの中間位置を有する、請求項１又は２記載の表示装置。
【請求項４】
前記画像電位差は、少なくとも２つの振動パルスにより先行されることを特徴とする、請求項１又は２記載の表示装置。
【請求項５】
前記画像電位差は、４又はそれ以上の振動パルスにより先行されることを特徴とする、請求項１又は２記載の表示装置。
【請求項６】
前記又は夫々の振動パルスの長さは、当該装置の光学状態を前記最端位置のうちの一方から他方へ駆動するために必要な最小時間期間よりも短い大きさであることを特徴とする、請求項１乃至５のうちいずれか一項記載の表示装置。
【請求項７】
前記又は夫々の振動パルスの（時間による電圧パルスの積分として決められる）エネルギー値は、前記最端位置のうちの１つで前記粒子を放すには十分であるが、前記最端位置のうちの一方から他方へと前記粒子を移動させるには不十分であることを特徴とする、請求項１乃至６のうちいずれか一項記載の表示装置。
【請求項８】
前記駆動波形は、パルス幅変調をなされていることを特徴とする、請求項１乃至７のうちいずれか一項記載の表示装置。
【請求項９】
前記駆動波形は、電圧変調をなされていることを特徴とする、請求項１乃至７のうちいずれか一項記載の表示装置。
【請求項１０】
前記駆動波形は、（比較的長い期間に亘って）実質的に直流平衡状態であることを特徴とする、請求項１乃至９のうちいずれか一項記載の表示装置。
【請求項１１】
流動体中に帯電された粒子を有する電気泳動媒体と、複数の画像素子と、そのうちの２つは最端位置であって、少なくとも１つは前記２つの最端位置の間の中間位置である複数の位置、を占有することができる前記帯電された粒子と、画像を表示させるために前記帯電された粒子に前記位置のうちの１つを占有させるように、画像電位差の列を前記画像素子の夫々へ供給するよう配置された駆動手段とを有する表示装置を駆動させ、
前記帯電された粒子に、単一の光学経路で前記最端位置の間を循環的に移動させて、前記光学経路に沿って前記所望の光学遷移を生じさせるための駆動波形の形で、前記画像電位差の列を発生させるステップと、前記画像電位差の夫々の前に１又はそれ以上の振動パルスを供給するステップとを有する方法。
【請求項１２】
請求項１乃至１０のうちいずれか一項記載の表示装置を駆動するための駆動手段であって、
当該駆動手段は、画像を表示させるために前記帯電された粒子に前記位置のうちの１つを占有させるように、前記画像素子の夫々へ前記画像電位差の列を供給するよう配置され、
前記画像電位差の列は、前記帯電された粒子に、単一の光学経路で前記最端位置の間を循環的に移動させるための駆動波形を形成し、
前記画像電位差は、１又はそれ以上の振動パルスにより先行されることを特徴とする駆動手段。
【発明の詳細な説明】
【技術分野】
【０００１】
本発明は、
・流動体中に帯電された粒子を有する電気泳動媒体；
・複数の画像素子；
・そのうちの２つは最端位置であって、少なくとも１つは前記２つの最端位置の間の中間位置である複数の位置、を占有することができる前記帯電された粒子；及び
・画像を表示させるために前記帯電された粒子に前記位置のうちの１つを占有させるように、前記画像素子の夫々へ画像電位差の列を供給するよう配置された駆動手段；
を有する表示装置に関する。
【背景技術】
【０００２】
一般に、電気泳動表示装置は、流動体中の帯電された粒子から成る電気泳動媒体と、マトリクスに配置された複数の画像素子（画素）と、夫々の画素に結合された第１及び第２の電極と、前記帯電された粒子に前記電極の間のある位置を占有させるよう夫々の画素の電極へ電位差を印加し、印加した電位差の値及び存続期間に依存して画像を表示させる電圧駆動部とを有する。
【０００３】
更に詳細には、このような電気泳動表示デバイスは、データ電極と選択電極とが交差する交点に結合された画素の行列（マトリクス）を有するマトリクスディスプレイである。画素のグレーレベル又はカラー化レベルは、特定のレベルの駆動電圧が画素両端に存在する時間に依存する。駆動電圧の極性に依存して、画素の光学状態は、その現在の光学状態から、２つの極限状態のうちの１つへと連続的に変化する。例えば、全ての帯電された粒子の１つの種類は、画素の上部又は下部に近くにある。グレースケールは、電圧が画素両端に存在する時間を制御することによって得られる。
【０００４】
通常、画素の全ては、適切な電圧を選択電極へ供給することによって、ライン毎に選ばれる。データは、データ電極を介して、選ばれたラインに結合された画素へ並列に供給される。表示装置がアクティブマトリクスディスプレイである場合には、選択電極は、例えばＴＦＴ、ＭＩＭ、ダイオードのような能動素子を制御して、データが画素へ供給されることを可能にする。マトリクスディスプレイの全ての画素を一度選ぶために必要な時間は、サブフレーム期間と呼ばれる。特定の画素は、達成される必要のある光学状態の変化に従って、サブフレーム期間全体の間に、正の駆動電圧、負の駆動電圧、又は零駆動電圧のいずれか１つを受ける。零駆動電圧は、通常、光学状態の変化が達成される必要がない場合に画素へ印加される。
【０００５】
図７及び８は、第１の基板８と、それに対向する第２の基板９と、複数の画像素子２とを有する表示パネル１の例となる実施例を表す。一実施例において、画像素子２は、二次元構造で実質的に真っ直ぐな線に沿って配置されうる。他の実施例では、画像素子２は、ハニカム配置で配置されうる。
【０００６】
流動体中で帯電された粒子６を有する電気泳動媒体５は、基板８と９の間に存在する。第１及び第２の電極３、４は、電位差を受けるために夫々の画像素子２に結合されている。図８に表された配置において、第１の基板８は、夫々の画像素子２に関して、第１の電極３を有し、第２の基板９は、夫々の画像素子２に関して、第２の電極４を有する。帯電された粒子６は、電極３、４の近くの最端位置及び電極３と４との間の中間位置を占めることができる。夫々の画像素子２は、電極３と４との間の帯電された粒子６の位置によって決められる態様を有する。
【０００７】
電気泳動媒体は、例えば米国特許公報ＵＳ５，９６１，８０４、ＵＳ６，１２０，８３９及びＵＳ６，１３０，７７４からそれ自体知られており、例えばＥインク社から入手することができる。一例として、電気泳動媒体５は、白色の流動体中で、負に帯電された黒色粒子を有するとする。帯電された粒子６が第１の最端位置、即ち第１の電極３の近くにある場合、例えば１５ボルトという電極３、４へ印加された電位差の結果として、画像素子２の態様は、例えば、画像素子２が第２の基板９の側から観察される場合には白い。
【０００８】
帯電された粒子６が第２の最端位置、即ち第２の電極４の近くにある場合、例えば−１５ボルトという電極３、４へ印加された電位差の結果として、画像素子２の態様は黒い。帯電された粒子６が中間位置のうちの１つ、即ち、電極３と４との間にある場合、画像素子２は、例えばライトグレー、ミッドグレー及びダークグレーといった、黒と白との間のグレーレベルである複数の中間態様のうちの１つを有する。
【０００９】
図９は、電圧変調遷移マトリクスを用いて典型的な従来のランダムなグレースケール遷移シーケンスの一部を表す。画像状態ｎと画像状態ｎ＋１との間には、異なるユーザに依存して、数秒から数分までの如何なる時間であっても良い利用可能なある時間期間（滞留時間）が常に存在する。
【００１０】
一般的に、グレースケール（又は中間色状態）を発生させるために、フレーム期間は、複数のサブフレームを有するように決められ、画像のグレースケールは、幾つのサブフレームの間に画素がどの駆動電圧（正、零、又は負）を受けるべきかを画素毎に選ぶことによって再生され得る。通常、サブフレームは、全て同じ存続期間であるが、それらは、必要ならば、変化するよう選ばれ得る。言い換えると、一般に、グレースケールは、固定値である駆動電圧（正、負、又は零）と、駆動期間の可変な存続期間とを用いることによって発生する。
【００１１】
電気泳動媒体を用いる表示装置では、電気泳動媒体に加えて層（例えば、積層粘着剤の層）が、通常、電極の間に存在する。それらの層のいくつかは、実質的に絶縁層であって、それら層は、電位差の結果として電荷を帯びる。絶縁層に存在する電荷は、最初に絶縁層に存在する電荷と、電位差のその後の過程とによって決められる。従って、粒子の位置は、印加されている電位差だけでなく、電位差の過程にも依存する。結果として、著しい画像保持が起こり得る。その後画像データに従って表示される絵は、画像データの正確な描写を表す絵とは著しく異なっている。
【００１２】
上述したように、電気泳動表示装置におけるグレーレベルは、一般的に、所定の時間期間に電圧パルスを印加することによって作られる。それらは、画像履歴、滞留時間、温度、湿度、電気泳動層の側方不均一性、等によって極めて影響を及ぼされる。画像履歴の影響を考慮するために、遷移マトリクスに基づく駆動法が提案されてきた。このような配置では、マトリクス参照サーブル（Ｌｏｏｋ−Ｕｐ  Ｔａｂｌｅ；ＬＵＴ）が必要とされる。ＬＵＴでは、異なる画像履歴を有するグレースケール遷移に対する駆動信号が予め決められている。しかし、画素が１つのグレーレベルから他のグレーレベルへ駆動された後の残留直流電圧の高まりは、駆動電圧レベルの選択が、一般的に、グレー値の要求に基づくので、不可避である。残留直流電圧は、特に複数のグレースケール遷移の後の一体化の後に、更なる画像保持と、表示装置の短縮された耐用年数とをもたらしうる。
【特許文献１】米国特許公報ＵＳ５，９６１，８０４
【特許文献２】米国特許公報ＵＳ６，１２０，８３９
【特許文献３】米国特許公報ＵＳ６，１３０，７７４
【発明の開示】
【発明が解決しようとする課題】
【００１３】
本発明は、正確なグレースケールが如何なる前の画像も考慮する必要性を伴わずに、あるいはこのような画像の最小数しか考慮せずに達成されるほどに、画像品質に関して滞留時間及び画像履歴の影響が著しく低減される表示装置及び表示装置の駆動方法を提供することを目的とする。
【課題を解決するための手段】
【００１４】
本発明に従って、流動体中に帯電された粒子を有する電気泳動媒体と、複数の画像素子と、そのうちの２つは最端位置であって、少なくとも１つは前記２つの最端位置の間の中間位置である複数の位置、を占有することができる前記帯電された粒子と、画像を表示させるために前記帯電された粒子に前記位置のうちの１つを占有させるように、前記画像素子の夫々へ画像電位差の列を供給するよう配置された駆動手段とを有する表示装置が提供される。前記画像電位差の列は、前記帯電された粒子に、単一の光学経路で前記最端位置の間を循環的に移動させて、前記光学経路に沿って前記所望の光学遷移を生じさせるための駆動波形を形成し、前記画像電位差は、１又はそれ以上の振動パルスにより先行される。振動パルスは、エネルギー値を表わす単極性電圧パルスとして定められ、（時間による電圧パルスの積分として決められる）前記エネルギー値は、前記最端位置のうちの１つで前記粒子を放すには十分であるが、前記最端位置のうちの一方から他方へと前記粒子を移動させるには不十分である。
【００１５】
望ましくは、画像電位差は、少なくとも２つ、且つ、更に望ましくは４又はそれ以上の振動パルスにより先行される。有利に、前記又は夫々の振動パルスの長さは、当該装置の光学状態を前記最端位置のうちの一方から他方へ駆動するために必要な最小時間期間よりも短い大きさである。有利に、前記又は夫々の振動パルスのエネルギー値は、前記２つの最端位置のうちの１つで前記粒子を放すには十分であるが、当該装置の光学状態を著しく変化させるには不十分である。具体的には、前記２つの電極間で前記一方の最端位置から他方の最端位置へと前記粒子を移動させるには不十分である。
【００１６】
前記駆動波形は、例えば、パルス幅変調又は電圧振幅変調をなされても良く、望ましくは、（比較的長い期間に亘って）平均して実質的に直流平衡状態である。
【００１７】
また、本発明に従って、流動体中に帯電された粒子を有する電気泳動媒体と、複数の画像素子と、そのうちの２つは最端位置であって、少なくとも１つは前記２つの最端位置の間の中間位置である複数の位置、を占有することができる前記帯電された粒子と、画像を表示させるために前記帯電された粒子に前記位置のうちの１つを占有させるように、画像電位差の列を前記画像素子の夫々へ供給するよう配置された駆動手段とを有する表示装置の駆動方法が提供される。当該方法は、前記帯電された粒子に、単一の光学経路で前記最端位置の間を循環的に移動させて、前記光学経路に沿って前記所望の光学遷移を生じさせるための駆動波形の形で、前記前記画像電位差の列を発生させるステップと、前記画像電位差の夫々の前に１又はそれ以上の振動パルスを供給するステップとを有する。
【００１８】
また更に、本発明に従って、上述したような表示装置を駆動するための駆動手段が提供される。当該駆動手段は、画像を表示させるために前記帯電された粒子に前記位置のうちの１つを占有させるように、前記画像素子の夫々へ前記画像電位差の列を供給するよう配置されている。前記画像電位差の列は、前記帯電された粒子に、単一の光学経路で前記最端位置の間を循環的に移動させるための駆動波形を形成し、前記画像電位差は、１又はそれ以上の振動パルスにより先行される。
【００１９】
本発明の上記及び他の態様について、後述する実施例を参照して、明らかとするよう説明する。
【発明を実施するための最良の形態】
【００２０】
以下、本発明の実施例について、添付の図面を参照して一例として説明する。
【００２１】
上述したように、電気泳動表示装置におけるグレーレベルは、画像履歴、滞留時間、温度、湿度、電気泳動層の側方不均一性等による影響を非常に受ける。正確なグレーレベルは、所謂レール安定化アプローチを用いて達成され得ることが実証されてきた。これは、グレーレベルが、画像シーケンス自体とは無関係に、２つの極端な光学状態（即ち、ブラック若しくはホワイト）又は「レール」のうちの１つを介して常に達成されることを意味する。
【００２２】
実質的に直流平衡状態である駆動を達成するために、循環レール安定化グレースケールの考え方が、最近提案されている。それを図１に概略的に表す。この方法では、上述したように、「インク」は、常に、画像シーケンスとは無関係に、図１中の矢印によって表されているように、２つの極端な光学状態の間、即ち、フルブラックとフルホワイトと（即ち、２つのレール）の間で同じ光学経路をたどるべきである。示した例では、表示装置は、ブラック（Ｂ）、ダークグレー（Ｇ１）、ライトグレー（Ｇ２）及びホワイト（Ｗ）の４つの異なる状態を有する。
【００２３】
実例となる画像遷移を生ずるための対応する駆動波形を図２に概略的に表す。明らかであるように、簡単化のために、パルス幅変調（ＰＷＭ）駆動法がこの特定の例では用いられ、且つ、理想的なインク材を有する（即ち、滞留時間及び画像履歴に敏感ではない）表示装置が仮定されている。
【００２４】
駆動方法の循環特性に起因して、負のパルスに含まれる（時間×電圧により表される）総エネルギーは、常に、それに続く正のパルスの総エネルギーに等しい。
【００２５】
例えば、現在の画像がブラック状態にあるとすると、表示されるべき次の画像はダークグレー（Ｇ１）である。この場合には、全パルス幅の１／３である負の電圧パルス（ｔ１）が印加される（留意すべきは、「全パルス幅」は、フルブラックからフルホワイトへ、又はその逆に状態を変化させるために必要なパルス幅であるので、そのパルス幅の１／３であって、負の極性を有するパルスが、フルブラックからＧ１へ向かって粒子を移動させるために必要とされることである）。待機期間（滞留時間）の後に、画像Ｇ２が、画素に表示される必要がある。全パルス幅の２／３である負のパルス（ｔ２）は、（フルホワイト状態に達するよう）用いられ、全パルス幅の１／３である正のパルス（ｔ３）が、Ｇ２に達するよう、その直後に続く。次に、Ｇ１状態が、他の滞留時間の後に表示される必要がある。全パルス幅の２／３である正のパルス（ｔ４）が、フルブラック状態に達するよう用いられ、全パルス幅の１／３である負のパルスが、フルブラックからＧ１に達するよう、その直後に続く。
【００２６】
従って、インクは、ｔ１＋ｔ２＝ｔ３＋ｔ４＝ｔ５＋ｔ６＝ｔ７＝ｔ８＝ｔ９．．．．．となるように、常に矢印の方へ進む。このようにして、パルス幅変調（ＰＷＭ）駆動法が適用され、理想的なインクが用いられる場合に、直流平衡状態である駆動方法は実現される。電圧変調（ＶＭ）駆動法又はＰＷＭ及びＶＭの組み合わされた駆動法のような他の駆動法が用いられ、インクが理想的でない場合には、直流平衡は、インパルスポテンシャル理論に従うことによって達成される。即ち、波形は、状態の任意の組を介して、表示装置を如何なる初期状態からもある状態へ至らせて、初期状態へ戻す一連の遷移に関して、ネットインパルスが存在しないように構成される。
【００２７】
しかし、図２に表された波形は、非常に複雑な遷移マトリクスの使用を必要とする。この遷移マトリクスでは、少なくとも５つの前の画像が、次の画像を表示するために必要なインパルスを決めるために必要とされる。これは、費用がかかるだけでなく、多くの電力を消費する。更に、滞留時間の影響が上記技術において最低限とされないので、グレースケールの精度に有害な影響がある。
【００２８】
図３を参照すると、前の画像を考慮せずに、即ち、現在の画像（Ｒ１）及び直前の画像（Ｒ２）のみが考えられて、図２に表された電圧変調駆動波形を用いて得られた代表的な実験結果が表されている。留意すべきは、図３の結果を得るために行われた実験では、２秒の一定滞留時間を有する同調シーケンスが、最初に、ランダムな画像遷移を伴う他のシーケンスに使用される正確な参照テーブル（Ｌｏｏｋ−Ｕｐ  Ｔａｂｌｅ；ＬＵＴ）を得るために使用されたことである。４つのグレーレベル３０、４０、５０及び６０は、当業者には明らかであるように、明らかに好ましくない４．９Ｌ＊の精度で得られている。
【００２９】
従って、本発明は、改善された循環レール安定化駆動方法（及びこのような方法を利用するアクティブマトリクス電気泳動表示装置）を提供する。好ましい実施例において、表示装置は、夫々の電極に隣接する２つの極限レベルと共に、少なくとも２つの別個のグレーレベルを有する。本発明における語「循環レール安定化」は、帯電された粒子（即ち「インク」）が、図１を参照して述べたように、二つの極限レベル又は状態（即ち、２つのレール）の間で、即ち、全ブラックと全ホワイトとの間で、画像シーケンスとは無関係に、同じ光学経路を常にたどるべきであることを意味する。従って、グレースケール駆動パルスは、循環レール安定化原理に従って、表示装置を駆動するために用いられ、振動パルスは、望ましくは夫々の駆動パルスの直前に更に供給される。振動パルスの長さは、望ましくは、フルブラックからフルホワイトへ表示装置を駆動するために必要な最小時間期間（あるいは「飽和時間」として知られる。）よりも短い大きさである。
【００３０】
振動パルスの供給は、正確なグレースケールが、如何なる前の画像も考慮する必要性を伴わずに、あるいはこのような画像の最小数しか考慮せずに達成されうる程に、画像品質に関して滞留時間及び画像履歴の影響を著しく低減する。
【００３１】
本発明の第１の例となる実施例では、パルス幅変調（ＰＷＭ）駆動方法が用いられている（即ち、一定の電圧振幅及び可変なパルス存続期間）。図１に表わされた画像シーケンスを達成するために使用されうる対応する駆動波形を、図４に概略的に表わす。
【００３２】
明らかなように、夫々の画像遷移に関して、４つの振動パルス１０は、グレースケール駆動を生じさせるために必要な夫々のインパルス２０の直前に用いられ、単一の振動パルスの長さは、フルブラックからフルホワイトへ表示装置を駆動するために必要な最小時間期間（即ち、飽和時間）よりも短い大きさである。振動パルスに含まれるエネルギーは、滞留時間及び画像履歴の影響が著しく低減され、光学的外乱（フリッカ）が最小限にされ得るように、粒子を如何なる大きな距離でも移動させるには不十分であるべきである。
【００３３】
本発明の第２の例となる実施例では、電圧変調（ＶＭ）駆動法が用いられても良い（即ち、可変な電圧振幅）。図５に概略的に表わされている対応する駆動波形は、図１に示した駆動波形と同じ画像遷移を達成する。特に図５に示したような階段状インパルスを用いる電圧変調駆動は、最良の結果をもたらしうることが実証されている。
【００３４】
先と同様に、これらの遷移において、４つの振動パルス１０が、夫々の画像遷移に関して、グレースケール駆動に必要なインパルスの直前に用いられる。上述した第１の例となる実施例の場合と同じく、振動パルスに含まれるエネルギーは、局部的に粒子を放すことができるほどに十分に高いが、粒子を如何なる大きな距離でも移動させるには不十分であるべきである。
【００３５】
正確なグレースケールが画像履歴を考慮せずに得られることが、実験的に実証されている。実際には、前の画像を考慮しない、即ち、現在の画像（Ｒ１）及び直前の画像（Ｒ２）しか考慮しない場合の典型的な実験結果は、図５に表わされた電圧変調駆動波形を用いて、図６に表わされる。先と同じく、図６に表わされた結果を得るために行われた実験において、２秒という一定の滞留時間が、最初に、正確な参照テーブルを得るために用いられた。その場合に、参照テーブルは、ランダムな画像遷移を伴う他のシーケンスに使用された。２０ｍｓのパルス長さを有する４つの振動パルスは、夫々の駆動インパルスの前に印加された。４つのグレーレベル３０、４０、５０及び６０は、２．３Ｌ＊の精度で得られた。即ち、ヒストグラムの底部での最大誤差が２．３Ｌ＊である。これは、図２に表わされ、図３で実証された波形により達成された結果を超える大幅な改善である。実際には、少なくとも一つの前の画像は、振動パルスが用いられていない図２の波形により類似する結果を得られると考えられる必要がある。
【００３６】
留意すべきは、本発明は、アクティブマトリクス電気泳動表示装置のみならず、パッシブマトリクスでも実施されうることである。また、本発明は、例えばタイプライターモードが存在する単一及び複数のウィンドウ表示装置に適用可能である。本発明は、また、カラー双安定表示装置に適用可能である。また、電極構造は限定されない。例えば、上部／下部電極構造、ハニカム構造又は面内切替え及び鉛直切替えを組み合わせた他の構造が用いられても良い。
【００３７】
本発明の実施例は、一例として上述されたに過ぎず、添付の特許請求の範囲により定められた本発明の適用範囲を外れることなく変更されることは、当業者には明らかである。更に、特許請求の範囲において、括弧内の如何なる参照符号も、請求項を限定するように解釈されるべきではない。語「有する」は、請求項に挙げられたもの以外の他の要素又はステップの存在を認めないわけでない。要素の前に置かれている語「一つの」は、このような要素が複数存在することを認めないわけではない。本発明は、幾つかの個別素子を有するハードウェアにより、及び適切にプログラムされたコンピュータにより実施され得る。幾つかの手段を挙げている装置クレームにおいて、それら手段のうちの幾つかは、ハードウェアの同一の構成要素によって具現化され得る。幾つかの手段が複数の異なる独立請求項で挙げられているという事実は、それら手段の組み合わせが有利に用いられ得ないということを示しているわけではない。
【図面の簡単な説明】
【００３８】
【図１】ホワイト（Ｗ）、ライトグレー（Ｇ２）、ダークグレー（Ｇ１）及びブラック（Ｂ）の４つの光学状態を有する電気泳動表示装置用の循環レール安定化駆動方法を概略的に表す。
【図２】光学遷移を実行する駆動波形を表しており、図において、画像履歴の３つの種目がＧ１への遷移に関して表されている。
【図３】図２の波形により得られた実験結果を表す。
【図４】本発明の第１の例となる実施例に従って光学遷移を実行するための駆動波形を表す。
【図５】本発明の第２の例となる実施例に従って光学遷移を実行するための駆動波形を表す。
【図６】図５の波形により得られた実験結果を表す。
【図７】本発明の例となる実施例に従う表示パネルの正面図である。
【図８】図７のＩＩ−ＩＩにおける断面図である。
【図９】従来技術に従う、電圧変調された遷移マトリクスを用いる一般的なグレースケール遷移シーケンスの一部を表す。
【図１】
2007513368.tif 000003
【図２】
2007513368.tif 000004
【図３】
2007513368.tif 000005
【図４】
2007513368.tif 000006
【図５】
2007513368.tif 000007
【図６】
2007513368.tif 000008
【図７】
2007513368.tif 000009
【図８】
2007513368.tif 000010
【図９】
2007513368.tif 000011
【国際調査報告】
2007513368.tif 000012
2007513368.tif 000013
2007513368.tif 000014